Podtech/llm-jp-corpus-v4-ja_patent huggingface dataset:
【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  物体を調査する光学コヒーレンス断層撮影装置（「ＯＣＴ」）において、
短コヒーレンス放射の放射源と、
（ａ）放射の第１の部分を基準アームに結合し、（ｂ）放射の第２の部分をサンプル・アームに結合し、（ｃ）基準アームおよびサンプルアームら送られた放射を結合し、（ｄ）結合された放射を解析器に結合する結合器と
を備え、
基準アームが、放射の第１の部分を測定範囲変動装置に送り、その測定範囲変動装置から出力された放射を結合器に戻し、
サンプルアームが、放射の第２の部分を物体に送り、物体によって散乱された放射を結合器に戻し、
測定範囲変動装置が、
入射する放射の一部分を透過させる透過器と、
反射した放射の一部を反射する透過器によって透過された放射を反射する反射器と、
反射器を走査するように結合された走査装置を備えること
を特徴とする光学コヒーレンス断層撮影装置。
【請求項２】  物体の第１の散乱性部分と第２の散乱性部分との間の距離を測定する請求項１に記載のＯＣＴ装置において、
測定範囲変動装置がさらに、透過器を平行移動させるように結合された移送器を備え、
解析器が、
結合器から結合された放射を検出する光検出器と、
光検出器の出力に結合され、通過域の中心周波数が実質的に、反射器を走査することによって生成されるドップラー・シフト周波数に比例した周波数である第１のフィルタと、
光検出器の出力に結合され、通過域の中心周波数が実質的に、前記周波数の倍数である第２のフィルタと
を備えることを特徴とするＯＣＴ装置。
【請求項３】  光学コヒーレンス断層撮影装置の基準アームに使用する測定範囲変動装置において、
入射する放射の一部分を透過させる透過器と、
透過器を平行移動させるように結合された移送器と、
透過器によって透過された放射を反射する反射器と、
反射器を走査するように結合された走査装置と、
反射した放射の一部を反射する透過器の位置を測定するエンコーダとを備えること
を特徴とする測定範囲変動装置。
【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】
【請求項１】
電子測定器の測定ポートの温度を一定に保つための測定ポート定温化装置であって、
前記測定ポートにおける温度を検知するための手段と、
経時的に前記測定ポートの検知温度に処理を施すことによって、温度制御信号を発生するためのプロセッサ手段と、
前記温度制御信号に応答して、前記測定ポートを比較的一定した温度に維持する温度制御手段とを含み、かつ、
前記温度制御手段が、
前記測定ポートを包囲するヒート・ブロックと、
前記温度制御信号に応答し、経時的に前記測定ポートから熱を除去する熱電冷却器と、
前記測定ポートから除去した熱を放散するためのヒート・シンクとを含むことを特徴とする装置。 
【請求項２】
前記温度制御装置に、前記温度制御信号に応答して、前記測定ポートから熱を吸収し、放散するための手段が含まれていることを特徴とする、請求項１に記載の装置。 
【請求項３】
前記測定ポートの温度を経時的に視覚表示するためのディスプレイ手段が含まれていることを特徴とする、請求項１または２に記載の装置。 
【請求項４】
前記ヒート・シンクが、
入力ポートと、
出力ポートと、
前記入力ポートと前記出力ポートの間に配置され、前記ヒート・シンクへの熱伝達を最大にするための近接蛇行経路とを備えることを特徴とする、請求項１から３のいずれかに記載の装置。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】
右目用および左目用のフラットパネルディスプレイを有し、使用者の頭に装着される表示装置と、
前記表示装置に接続された制御装置と、
前記制御装置に接続された入力端末装置とを有し、
前記フラットパネルディスプレイは、前記入力端末装置の情報を含む複数の情報を一度に表示することができることを特徴とする情報処理装置。
【請求項２】
右目用および左目用のフラットパネルディスプレイを有し、使用者の頭に装着される表示装置と、
制御装置と、
前記制御装置に接続された入力端末装置とを有し、
前記制御装置は、前記表示装置に電波によって信号を送信し、
前記フラットパネルディスプレイは、前記入力端末装置の情報を含む複数の情報を一度に表示することができることを特徴とする情報処理装置。
【請求項３】
右目用および左目用のフラットパネルディスプレイを有し、使用者の頭に装着される表示装置と、
前記表示装置に制御された制御装置と、
撮像装置と、
前記制御装置に接続された入力端末装置とを有し、
前記撮像装置は、少なくとも前記入力端末装置および前記使用者の手の映像を電気信号に変換し、かつ前記電気信号を前記制御装置に供給し、
前記フラットパネルディスプレイには、少なくとも前記入力端末装置および前記使用者の手の映像を含む複数の情報が一度に表示されることを特徴とする情報処理装置。
【請求項４】
右目用および左目用のフラットパネルディスプレイを有し、使用者の頭に装着される表示装置と、
制御装置と、
撮像装置と、
前記制御装置に接続された入力端末装置とを有し、
前記制御装置は、前記表示装置に電波によって信号を送信し、
前記撮像装置は、少なくとも前記入力端末装置および前記使用者の手の映像を電気信号に変換し、かつ前記電気信号を前記制御装置に供給し、
前記フラットパネルディスプレイには、少なくとも前記入力端末装置および前記使用者の手の映像を含む複数の情報が一度に表示されることを特徴とする情報処理装置。
【請求項５】
前記表示装置のフラットパネルディスプレイの画素電極に接続されているＴＦＴのチャネル形成領域は、絶縁表面上に形成された複数の棒状または偏平棒状結晶の集合体からなる半導体薄膜で構成されていることを特徴とする請求項１乃至請求項４のいずれか一つに記載の情報処理装置。
【請求項６】
前記チャネル形成領域の面方位は概略｛１１０｝配向であることを特徴とする請求項５に記載の情報処理装置。
【請求項７】
前記チャネル形成領域の結晶粒界において９０％以上の結晶格子に連続性があることを特徴とする請求項５または請求項６に記載の情報処理装置。
【請求項８】
前記フラットパネルディスプレイは、４５Ｈｚ〜１８０Ｈｚで１画面の書き込みを行い、且つ、１画面毎に画素電極に印加する電圧の極性を反転させて画面表示を得ることを特徴とする請求項１乃至請求項７のいずれか一つに記載の情報処理装置。
【請求項９】
前記フラットパネルディスプレイは、液晶パネルであり、且つ、前記液晶パネルに用いられる液晶材料は、実質的にしきい値を持たない反強誘電性液晶または強誘電性液晶であることを特徴とする請求項１乃至請求項８のいずれか一つに記載の情報処理装置。
【請求項１０】
前記フラットパネルディスプレイは、液晶パネルであり、且つ、前記液晶パネルに用いられる液晶材料は、しきい値を持たない反強誘電性混合液晶であることを特徴とする請求項１乃至請求項８のいずれか一つに記載の情報処理装置。
【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】  同一の工程で成膜された太陽電池とアクティブ素子が形成された下基板、前記下基板と対向して設けられた透明基板と、前記透明基板と前記下基板の間に設けられた散乱型液晶層を備え、前記アクティブ素子が前記散乱型液晶層を駆動することを特徴とする反射型液晶表示装置。
【請求項２】  前記アクティブ素子に接続される画素電極は、前記下基板の太陽電池部分の上に絶縁膜を積層し、その上に画素電極を形成したことを特徴とする請求項１に記載の反射型液晶表示装置。
【請求項３】  基板上に金属薄膜を成膜し、太陽電池の下側電極とダイオード接続用電極と走査電極を同時に作製する工程と、
前記基板上にｎ型、ｉ型、ｐ型のａ−Ｓｉ膜を、前記ａ−Ｓｉ膜上に透明導電膜を設けてダイオードと太陽電池の形状を形成する工程と、
前記基板上に前記ダイオードと前記太陽電池の引き出し部に開口を持つ絶縁膜を形成する工程と、
前記絶縁膜上に透明電極を設け、前記基板上にＩＴＯ膜を成膜し、その後画素電極、ダイオード接続電極、太陽電池の引き出し電極、前記太陽電池の上部に画素電極を形成する工程と、
対向基板に設けられた対向電極と前記基板の前記画素電極の間に光散乱型液晶層を設ける工程と、を含むことを特徴とする反射型液晶表示装置の製造方法。
【請求項４】  前記ａ−Ｓｉ膜をスクリーン印刷によりダイオードと太陽電池の形状に形成したことを特徴とする請求項３に記載の反射型液晶表示装置の製造方法。
【手続補正書】
【提出日】平成18年11月6日(2006.11.6)
【手続補正１】
【補正対象書類名】明細書
【補正対象項目名】０００３
【補正方法】変更
【補正の内容】
【０００３】
このコンクリート型枠の外周面に硬化して付着した残存コンクリートのケレン作業は、本願出願人が先に出願した特開平６−９３７９７公報、特願平７−３４８６６７号、等に記載のケレン方法および装置により行っていた。
【手続補正２】
【補正対象書類名】図面
【補正対象項目名】図４
【補正方法】変更
【補正の内容】
【図４】
2000002094.tif 000001
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
Ｘ−Ｙ−Ｚ直角座標系で、Ｚ軸方向に垂直なＸ軸及びＹ軸方向に位置決めすべき物品を位置決めするための、リソグラフ装置の位置決め装置にして、静止機械フレームと、該物品を処理するサブシステムと、該物品を載置してＸ軸及びＹ軸方向に移動し得る移動テーブルと、前記静止機械フレームに連結された静止部と該移動テーブルに連結された移動部とを有して該移動テーブルを移動させ前記サブシステムに対して該物品を位置決めする駆動手段と、該移動テーブルの位置を測定するために該移動テーブルに固定された移動部及び静止部を有する測定システムとを含む位置決め装置において、
該位置決め装置に設けられた基準フレームに前記測定システムの静止部が固定され、該基準フレームは前記機械フレームから動的および静的に絶縁されていることを特徴とする位置決め装置。
【請求項２】
前記サブシステムは、放射ビームを投影する投影システムであり、前記物品は放射ビームにパターン付けを行なうマスクである、請求項１に記載の装置。
【請求項３】
前記サブシステムは放射ビームを投影する投影システムであり、前記物品は該投影システムからの放射ビームによってマスクのパターンが映される基板である、請求項１に記載の装置。
【請求項４】
前記機械フレームは前記位置決め装置の唯一の機械フレームである、請求項１から３までのいずれか１つに記載の装置。
【請求項５】
前記機械フレームは前記基準フレームを支持する複数のダンパを備えている、請求項１又は４に記載の装置。
【請求項６】
前記サブシステムは前記基準フレームに固定されている、請求項１から５までのいずれか１つに記載の装置。
【請求項７】
前記移動テーブルは少なくともＸ軸方向に平行に前記基準フレームに備えられているガイド上を移動し得る、請求項１から６までのいずれか１つに記載の装置。
【請求項８】
前記位置決め装置は力作動システムを備えており、該力作動システムは電気的制御ユニットによって制御され且つ作動中に前記基準フレームに補正力を作用させており、この補正力は前記基準フレームの基準点のまわりで機械的モーメントを有しており、この機械的モーメントは、基準点のまわりで前記移動テーブル上に作用する重力の機械的モーメントの値とほぼ等しい値を有し、その方向は、重力の機械的モーメントとは反対方向である、請求項１から７までのいずれか１つに記載の装置。
【請求項９】
放射源と、マスクテーブルと、主軸を有する投影システムと、物品テーブルと、該物品テーブルを該投影システムに対して移動させる第１駆動ユニットと、該主軸に対して少なくとも垂直な方向に該投影システムに対して該マスクテーブルを移動させ、該マスクテーブルを該投影システムに対して位置決めする第２駆動ユニットと、該投影システムに対して該物品テーブルの位置を測定する第１測定システムと、該投影システムに対して該マスクテーブルの位置を測定する第２測定システムとを含み、該第１及び第２駆動ユニットの各々は、リソグラフ装置の機械フレームに固定された静止部を有し、該第１測定システムは該第１測定システムの静止部と協働するように該物品テーブルに固定された移動部と静止部とを含み、該第２測定システムは該第２測定システムの静止部と協働するように該マスクテーブルに固定された移動部を含むリソグラフ装置において、
前記第１及び第２測定システムの各々の静止部は、リソグラフ装置に設けた基準フレームに固定されており、該基準フレームは前記機械フレームから動的および静的に絶縁されていることを特徴とするリソグラフ装置。
【請求項１０】
前記機械フレームはリソグラフ装置の唯一の機械フレームである、請求項９に記載の装置。
【請求項１１】
前記機械フレームには前記基準フレームを支持する複数のダンパが備えられている、請求項９又は１０に記載の装置。
【請求項１２】
前記投影システムは前記基準フレームに固定されている、請求項９から１１までのいずれか１つに記載の装置。
【請求項１３】
前記物品テーブル及び前記マスクテーブルのうちの少なくとも１つはガイド上を移動可能であり、このガイドは前記主軸に対して垂直にリソグラフ装置に備えられており、このガイドは前記基準フレームに固定されている、請求項９から１２までのいずれか１つに記載の装置。
【請求項１４】
リソグラフ装置には電気的制御ユニットによって制御されて、作動中前記基準フレーム上に補正力を作用させる力作動システムが備えられており、この補正力は前記基準フレームの基準点のまわりの機械的モーメントを有しており、このモーメントは前記基準点のまわりで前記物品テーブル上に作用する重力の機械的モーメントの値とほぼ等しい値であるか、或いは前記基準点のまわりで前記マスクテーブル上に作用する重力の機械的モーメントの値とほぼ等しい値であり、その方向は前記機械的モーメントの方向と反対方向である、請求項９から１２までのいずれか１つに記載の装置。
【請求項１５】
リソグラフ装置の位置決め装置にして、物品テーブル上の物品を処理するサブシステムと、該サブシステムに対して該物品テーブル及び該マスクテーブルの少なくとも一方を移動させて、該サブシステムに対して該物品又は該マスクテーブル上のマスクを位置決めするようにした駆動ユニットと、該物品テーブルの位置及び該マスクテーブルの位置の少なくとも一方を測定する測定装置とを含み、該物品テーブル及び該マスクテーブルの少なくとも一方に固定された移動部と該位置決め装置の機械フレームに固定された静止部とを前記駆動ユニットが含んでおり、前記測定システムは静止部を有し、該測定システムは、更に、該測定システムの静止部と協働するように該物品テーブルに固定された移動部、及び該マスクテーブルに固定された移動部の一方を含む位置決め装置において、
前記測定システムの静止部は、前記位置決め装置に設けた基準フレームに固定され、該基準フレームは前記位置決め装置の機械フレームから動的および静的に絶縁されていることを特徴とする装置。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
発光層を含む半導体層と、前記発光層に給電する前記発光層に対応した第１の電極および前記第１の電極の対極として設けられる第２の電極とを前記半導体層の実装側に有した発光素子において、
第２の電極は、細線で形成され、
前記発光素子の電極形成面を覆うように形成された絶縁層を介して、外部回路と接続される端子部を前記絶縁層の表面に有することを特徴とする発光素子。
【請求項２】
前記細線は、幅が５０μｍ以下で形成されていることを特徴とする請求項１に記載の発光素子。
【請求項３】
前記端子部は、幅が１００μｍ以上で形成されていることを特徴とする請求項１に記載の発光素子。
【請求項４】
前記第１の電極は、発光素子面積に対し、６０％以上を占めるように形成されていることを特徴とする請求項１に記載の発光素子。
【請求項５】
前記発光層は、発光素子の中心軸に対し、互いに直交するそれぞれの軸に対し、略対称な形状であることを特徴とする請求項１から４のいずれか１項に記載の発光素子。
【請求項６】
発光層を含む半導体層と、前記第１の電極に、前記第２の電極が挿入されていることを特徴とする請求項１から５のいずれか１項に記載の発光素子。
【請求項７】
前記半導体層はＧａＮ系であり、前記第１の電極はｐ型電極、前記第２の電極はｎ型電極であることを特徴とする請求項１から６のいずれか１項に記載の発光素子。
【手続補正２】
【補正対象書類名】明細書
【補正対象項目名】０００９
【補正方法】変更
【補正の内容】
【０００９】
本発明は、上記の目的を達成するため、発光層を含む半導体層と、前記発光層に給電する前記発光層に対応した第１の電極および前記第１の電極の対極として設けられる第２の電極とを前記半導体層の実装側に有した発光素子において、第２の電極は、細線で形成され、前記発光素子の電極形成面を覆うように形成された絶縁層を介して、外部回路と接続される端子部を前記絶縁層の表面に有することを特徴とする発光素子を提供する。
【手続補正３】
【補正対象書類名】明細書
【補正対象項目名】００１０
【補正方法】削除
【補正の内容】
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
透明基板の厚さが異なる複数種類の光記録媒体毎に、異なる波長の単色光の光ビームを該透明基板を介して入射させ、該光記録媒体の該透明基板に設けられた情報記録面に集光させる正のパワーを有する対物レンズであって、
異なる種類の光記録媒体の情報記録面上に集光させる異なる波長の光ビームが通るレンズ面領域は、光軸から半径方向に複数の区間に区分され、
いずれの種類の該光記録媒体に対しても、対応して集光させる光ビームを、該光ビームの波面収差のうちの最大のＲＭＳ波面収差をＷmax、最小のＲＭＳ波面収差をＷminとして、ＲＭＳ波面収差比が、
１≦Ｗmax／Ｗmin＜１.８
かつＷmax≦０．０３５λRMS
を満たす条件で集光させるように、
該区間には夫々、該光ビームの波長λの違いによって発生する色収差と該光記録媒体の透明基板の厚みの違いによって発生する波面収差とを相殺し合う非球面形状が設定されたことを特徴とする対物レンズ。
【請求項２】
請求項１記載の対物レンズにおいて、
１≦Ｗmax／Ｗmin＜１.６
を満たす条件で集光させるように、非球面形状が設定されたことを特徴とする対物レンズ。
【請求項３】
請求項１記載の対物レンズにおいて、
１≦Ｗmax／Ｗmin＜１.４
を満たす条件で集光させるように、非球面形状が設定されたことを特徴とする対物レンズ。
【請求項４】
請求項１記載の対物レンズにおいて、
前記区間は夫々、各単色光の固有の波長に対応した単一の焦点を有するとともに、該各単色光の固有の波長に対応した焦点は夫々異なる位置に配置されるように構成されたことを特徴とする対物レンズ。
【請求項５】
複数の異なる波長の単色光の光ビームを発生するレーザと、透明基板の厚さが異なる複数種類の光記録媒体毎に該異なる波長の光ビームが該透明基板を介して入射され、該光記録媒体の該透明基板に設けられた情報記録面に該光ビームを集光させる正のパワーを有する対物レンズと、該対物レンズを介して該光ディスクから反射された該光ビームを検出する光検出器からなる光ピックアップ装置において、
該対物レンズは、異なる種類の光記録媒体の情報記録面上に集光させる異なる波長の光ビームが通るレンズ面領域が、光軸から半径方向に複数の区間に区分され、
いずれの種類の該光記録媒体に対しても、対応して集光させる光ビームを、該光ビームの波面収差のうちの最大のＲＭＳ波面収差をＷmax、最小のＲＭＳ波面収差をＷminとして、ＲＭＳ波面収差比が、
１≦Ｗmax／Ｗmin＜１.８
かつＷmax≦０．０３５λRMS
を満たす条件で集光させるように、
該区間に夫々、該光ビームの波長λの違いによって発生する色収差と該光記録媒体の透明基板の厚みの違いによって発生する波面収差とを相殺し合う非球面形状が設定されたことを特徴とする光ピックアップ装置。
【手続補正２】
【補正対象書類名】明細書
【補正対象項目名】００１３
【補正方法】変更
【補正の内容】
【００１３】
上記目的を達成するために、本発明は、透明基板の厚さが異なる複数種類の光記録媒体毎に異なる波長の単色光の光ビームを該透明基板を介して入射させ、該光記録媒体の該透明基板に設けられた情報記録面に集光させる正のパワーを有する対物レンズであって、異なる種類の光記録媒体の情報記録面上に集光させる異なる波長の光ビームが通るレンズ面領域は、光軸から半径方向に複数の区間に区分され、いずれの種類の該光記録媒体に対しても、対応して集光させる光ビームを、該光ビームの波面収差のうちの最大のＲＭＳ波面収差をＷmax、最小のＲＭＳ波面収差をＷminとして、ＲＭＳ波面収差比が、
１≦Ｗmax／Ｗmin＜１.８
かつＷmax≦０．０３５λRMS
を満たす条件で集光させるように、
該区間に夫々、該光ビームの波長λの違いによって発生する色収差と該光記録媒体の透明基板の厚みの違いによって発生する波面収差とを相殺し合う非球面形状が設定されたことを特徴とする。
【手続補正３】
【補正対象書類名】明細書
【補正対象項目名】００１８
【補正方法】変更
【補正の内容】
【００１８】
上記目的を達成するために、本発明は、複数の異なる波長の単色光の光ビームを発生するレーザと、透明基板の厚さが異なる複数種類の光記録媒体毎に該異なる波長の光ビームが該透明基板を介して入射され、該光記録媒体の該透明基板に設けられた情報記録面に該光ビームを集光させる正のパワーを有する対物レンズと、該対物レンズを介して該光ディスクから反射された該光ビームを検出する光検出器からなる光ピックアップ装置であって、該対物レンズは、異なる種類の光記録媒体の情報記録面上に集光させる異なる波長の光ビームが通るレンズ面領域が、光軸から半径方向に複数の区間に区分され、いずれの種類の該光記録媒体に対しても、対応して集光させる光ビームを、該光ビームの波面収差のうちの最大のＲＭＳ波面収差をＷmax、最小のＲＭＳ波面収差をＷminとして、ＲＭＳ波面収差比が、
１≦Ｗmax／Ｗmin＜１.８
かつＷmax≦０．０３５λRMS
を満たす条件で集光させるように、該区間に夫々、該光ビームの波長λの違いによって発生する色収差と該光記録媒体の透明基板の厚みの違いによって発生する波面収差とを相殺し合う非球面形状が設定されたことを特徴とする。
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
透明基板の厚さが異なる複数種類の光記録媒体毎に、異なる波長の単色光の光ビームを該透明基板を介して入射させ、該光記録媒体の該透明基板に設けられた情報記録面に集光させる正のパワーを有する対物レンズであって、
異なる種類の光記録媒体の情報記録面上に集光させる異なる波長の光ビームが通るレンズ面領域は、光軸から半径方向に複数の区間に区分され、
いずれの種類の該光記録媒体に対しても、対応して集光させる光ビームを、次ので表わされるＲＭＳ波面収差が、
【数１】
2006012417.tif 000001
（但し、ｉ番目の該光ビームの波長をλi（ｉ＝１，２，……）、波長λiの光ビームのＲＭＳ波面収差をＷi・λiとしたときの、全ての波長にわたる個々のＲＭＳ波面収差の二乗の総和をΣＷi2とする）
を満たす条件で集光させるように、
該区間に夫々、該光ビームの波長λの違いによって発生する色収差と該光記録媒体の透明基板の厚みの違いによって発生する波面収差とを相殺し合う非球面形状が設定されたことを特徴とする対物レンズ。
【請求項２】
請求項１記載の対物レンズにおいて、
【数４】
2006012417.tif 000002
を満たす条件で集光させるように、非球面形状が設定されたことを特徴とする対物レンズ。
【請求項３】
複数の異なる波長の単色光の光ビームを発生するレーザと、透明基板の厚さが異なる複数種類の光記録媒体毎に該異なる波長の光ビームが該透明基板を介して入射され、該光記録媒体の該透明基板に設けられた情報記録面に該光ビームを集光させる正のパワーを有する対物レンズと、該対物レンズを介して該光ディスクから反射された該光ビームを検出する光検出器からなる光ピックアップ装置において、
該対物レンズは、異なる種類の光記録媒体の情報記録面上に集光させる異なる波長の光ビームが通るレンズ面領域が、光軸から半径方向に複数の区間に区分され、
いずれの種類の該光記録媒体に対しても、対応して集光させる光ビームを、次の数式で表わされるＲＭＳ波面収差が、
【数１】
2006012417.tif 000003
（但し、ｉ番目の該光ビームの波長をλi（ｉ＝１，２，……）、波長λiの光ビームのＲＭＳ波面収差をＷi・λiとしたときの、全ての波長にわたる個々のＲＭＳ波面収差の二乗の総和をΣＷi2とする）
を満たす条件で集光させるように
該区間に夫々、該光ビームの波長λの違いによって発生する色収差と該光記録媒体の透明基板の厚みの違いによって発生する波面収差とを相殺し合う非球面形状が設定されたことを特徴とする光ピックアップ装置。
【手続補正２】
【補正対象書類名】明細書
【補正対象項目名】発明の名称
【補正方法】変更
【補正の内容】
【発明の名称】対物レンズ及び光ピックアップ装置
【手続補正３】
【補正対象書類名】明細書
【補正対象項目名】０００１
【補正方法】変更
【補正の内容】
【０００１】
本発明は、主にＣＤ（Compact  Disc：ＣＤ−ＲなどのＣＤも含む）やＤＶＤ（Digital  Versatile  Disc）など種類が異なる光記録媒体に対応できる互換型の記録再生装置に用いる対物レンズ及び光ピックアップ装置に関する。
【手続補正４】
【補正対象書類名】明細書
【補正対象項目名】００１２
【補正方法】変更
【補正の内容】
【００１２】
本発明の目的は、かかる問題を解消し、透明基板の厚さが異なる複数種の光記録媒体夫々に対し、可及的に波面収差が低減された状態で、しかも、高い光利用効率で光ビームを情報記録面に集光させることができるようにした対物レンズ及び光ピックアップ装置を提供することにある。
【手続補正５】
【補正対象書類名】明細書
【補正対象項目名】００１３
【補正方法】変更
【補正の内容】
【００１３】
上記目的を達成するために、本発明は、透明基板の厚さが異なる複数種類の光記録媒体毎に異なる波長の単色光の光ビームを、該透明基板を介して入射させ、該光記録媒体の該透明基板に設けられた情報記録面に集光させる正のパワーを有する対物レンズであって、異なる種類の光記録媒体の情報記録面上に集光させる異なる波長の光ビームが通るレンズ面領域は、光軸から半径方向に複数の区間に区分され、いずれの種類の該光記録媒体に対しても、対応して集光させる光ビームを、次の数式で表わされるＲＭＳ波面収差が、
【数１】
2006012417.tif 000004
（但し、ｉ番目の該光ビームの波長をλi（ｉ＝１，２，……）、波長λiの光ビームのＲＭＳ波面収差をＷi・λiとしたときの、全ての波長にわたる個々のＲＭＳ波面収差の二乗の総和をΣＷi2とする）を満たす条件で集光させるように、該区間に夫々、該光ビームの波長λの違いによって発生する色収差と該光記録媒体の透明基板の厚みの違いによって発生する波面収差とを相殺し合う非球面形状が設定されたことを特徴とする。
【手続補正６】
【補正対象書類名】明細書
【補正対象項目名】００１４
【補正方法】変更
【補正の内容】
【００１４】
さらに、本発明は、
【数４】
2006012417.tif 000005
を満たす条件で集光させるように、非球面形状が設定されたことを特徴とする。
【手続補正７】
【補正対象書類名】明細書
【補正対象項目名】００１５
【補正方法】変更
【補正の内容】
【００１５】
上記目的を達成するために、本発明は、複数の異なる波長の単色光の光ビームを発生するレーザと、透明基板の厚さが異なる複数種類の光記録媒体毎に該異なる波長の光ビームが該透明基板を介して入射され、該光記録媒体の該透明基板に設けられた情報記録面に該光ビームを集光させる正のパワーを有する対物レンズと、該対物レンズを介して該光ディスクから反射された該光ビームを検出する光検出器からなる光ピックアップ装置であって、該対物レンズは、異なる種類の光記録媒体の情報記録面上に集光させる異なる波長の光ビームが通るレンズ面領域が、光軸から半径方向に複数の区間に区分され、いずれの種類の該光記録媒体に対しても、対応して集光させる光ビームを、次の数式で表わされるＲＭＳ波面収差が、
【数１】
2006012417.tif 000006
（但し、ｉ番目の該光ビームの波長をλi（ｉ＝１，２，……）、波長λiの光ビームのＲＭＳ波面収差をＷi・λiとしたときの、全ての波長にわたる個々のＲＭＳ波面収差の二乗の総和をΣＷi2とする）
を満たす条件で集光させるように、該区間に夫々、該光ビームの波長λの違いによって発生する色収差と該光記録媒体の透明基板の厚みの違いによって発生する波面収差とを相殺し合う非球面形状が設定されたことを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正書】
【提出日】平成18年6月23日(2006.6.23)
【手続補正１】
【補正対象書類名】明細書
【補正対象項目名】発明の名称
【補正方法】変更
【補正の内容】
【発明の名称】製本印刷用プログラム、記憶媒体及び画像処理装置
【手続補正２】
【補正対象書類名】特許請求の範囲
【補正対象項目名】全文
【補正方法】変更
【補正の内容】
【特許請求の範囲】
【請求項１】
プリンタに接続されたコンピュータにインストールされ、前記コンピュータに、
アプリケーションプログラムからの製本印刷情報を含む印刷条件と印刷データとを受信する機能と、
受信した印刷条件のうち、原稿ページサイズと出力用紙サイズとに基づき製本印刷のための変倍率を算出する機能と、
受信した原稿ページ単位の印刷データに対して算出された変倍率で変倍処理を施す機能と、
変倍処理された原稿ページ単位の印刷データを記憶装置に順次記憶させる機能と、
全ての原稿ページの印刷データ受信後に、その総ページ数に基づき製本ページ順序、製本レイアウトを決定する機能と、
前記記憶装置に記憶されている変倍処理済みの原稿ページ単位の印刷データを、決定された製本ページ順序、製本レイアウトに従い順次読み出して移動処理を施す機能と、
移動処理された原稿ページ単位の印刷データを順次プリンタ記述言語に変換して前記プリンタに送信する機能と、
を実行させる製本印刷用プログラム。
【請求項２】
原稿ページサイズと出力用紙サイズとに基づき算出される製本印刷のための変倍率は、縮小率である、ことを特徴とする請求項１記載の製本印刷用プログラム。
【請求項３】
請求項１又は２記載の製本印刷用プログラムが格納されていることを特徴とするコンピュータ読取り可能な記憶媒体。
【請求項４】
プリンタに接続されて使用される画像処理装置であって、
アプリケーションプログラムからの製本印刷情報を含む印刷条件と印刷データとを受信する手段と、
受信した印刷条件のうち、原稿ページサイズと出力用紙サイズとに基づき製本印刷のための変倍率を算出する手段と、
受信した原稿ページ単位の印刷データに対して算出された変倍率で変倍処理を施す手段と、
変倍処理された原稿ページ単位の印刷データを記憶装置に順次記憶させる手段と、
全ての原稿ページの印刷データ受信後に、その総ページ数に基づき製本ページ順序、製本レイアウトを決定する手段と、
前記記憶装置に記憶されている変倍処理済みの原稿ページ単位の印刷データを、決定された製本ページ順序、製本レイアウトに従い順次読み出して移動処理を施す手段と、
移動処理された原稿ページ単位の印刷データを順次プリンタ記述言語に変換して前記プリンタに送信する手段と、
を備えることを特徴とする画像処理装置。
【請求項５】
原稿ページサイズと出力用紙サイズとに基づき算出される製本印刷のための変倍率は、縮小率である、ことを特徴とする請求項４記載の画像処理装置。
【手続補正３】
【補正対象書類名】明細書
【補正対象項目名】０００１
【補正方法】変更
【補正の内容】
【０００１】
本発明は、原稿ページ単位の印刷データについて製本印刷が可能な製本印刷用プログラム、記憶媒体及び画像処理装置に関する。
【手続補正４】
【補正対象書類名】明細書
【補正対象項目名】０００９
【補正方法】変更
【補正の内容】
【０００９】
請求項１記載の発明の製本印刷用プログラムは、プリンタに接続されたコンピュータにインストールされ、前記コンピュータに、アプリケーションプログラムからの製本印刷情報を含む印刷条件と印刷データとを受信する機能と、受信した印刷条件のうち、原稿ページサイズと出力用紙サイズとに基づき製本印刷のための変倍率を算出する機能と、受信した原稿ページ単位の印刷データに対して算出された変倍率で変倍処理を施す機能と、変倍処理された原稿ページ単位の印刷データを記憶装置に順次記憶させる機能と、全ての原稿ページの印刷データ受信後に、その総ページ数に基づき製本ページ順序、製本レイアウトを決定する機能と、前記記憶装置に記憶されている変倍処理済みの原稿ページ単位の印刷データを、決定された製本ページ順序、製本レイアウトに従い順次読み出して移動処理を施す機能と、移動処理された原稿ページ単位の印刷データを順次プリンタ記述言語に変換して前記プリンタに送信する機能と、を実行させる。
【手続補正５】
【補正対象書類名】明細書
【補正対象項目名】００１０
【補正方法】変更
【補正の内容】
【００１０】
請求項２記載の発明は、請求項１記載の製本印刷用プログラムにおいて、原稿ページサイズと出力用紙サイズとに基づき算出される製本印刷のための変倍率は、縮小率である。
【手続補正６】
【補正対象書類名】明細書
【補正対象項目名】００１１
【補正方法】変更
【補正の内容】
【００１１】
請求項３記載の発明のコンピュータ読取り可能な記憶媒体は、請求項１又は２記載の製本印刷用プログラムが格納されている。
【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
現在位置を取得する手段と、
各対象ポイントについて、位置に関する情報、及び出力用のコンテンツに関する情報を記録したデータベースに基づき、各対象ポイントのうち、現在位置に対し所定の近接位置にある近接ポイントについて、前記コンテンツの出力を行う出力手段とを備えたコンテンツ出力装置において、
各対象ポイントのコンテンツに関する情報は複数の選択要素として記録されており、
前記データベースには、各選択要素について、その選択を許容するか否かを決定するために参照される選択用情報が記録されており、
コンテンツ出力装置は、前記選択用情報に基づき、前記近接ポイントに係る選択要素のうちから前記コンテンツとして出力するものを選択する出力選択手段を具備することを特徴とするコンテンツ出力装置。
【請求項２】
前記データベースには、各対象ポイントについて、前記コンテンツの出力を許容するか否かを判定するための判定用情報が記録されており、
コンテンツ出力装置は、前記近接ポイントについて、前記判定用情報に基づき、前記コンテンツの出力を許容するか否かを判定する手段を備え、
前記判定用情報は、各対象ポイントについての、前記コンテンツの出力を許容し又は許容しない場合の、時間帯、装置の進行方向、天候、又は季節に関する情報であり、
前記判定手段は、この情報と、これに対応する現在の時刻、装置の進行方向、天候、又は季節とに基づいて前記出力許否の判定を行うものであることを特徴とする請求項１に記載のコンテンツ出力装置。
【請求項３】
前記選択用情報は各選択要素についての最後に前記コンテンツとしての出力を行った時刻の情報であり、前記出力選択手段は、該時刻情報と、現在の時刻とに基づき、前記出力の選択を行うものであることを特徴とする請求項１又は２に記載のコンテンツ出力装置。
【請求項４】
前記選択用情報は、各選択要素についての、その選択を許容し又は許容しない場合の、装置の進行方向又は時間帯に関する情報であり、前記出力選択手段は、この情報と、装置の現在の進行方向又は現在の時刻とに基づき、前記出力の選択を行うものであることを特徴とする請求項１〜３のいずれか１項に記載のコンテンツ出力装置。
【請求項５】
前記選択用情報は、各選択要素についての、ユーザの嗜好に関する情報であり、前記出力選択手段は、この情報と、この情報に対応して設定されたユーザの嗜好に関する設定内容とに基づき、前記出力の選択を行うものであることを特徴とする請求項１〜４のいずれか１項に記載のコンテンツ出力装置。
【請求項６】
車両に搭載され、該車両の速度を検出する手段を備え、前記選択用情報は、各選択要素についての、前記コンテンツとしての出力の開始から終了までに要する時間に関する情報であり、前記出力選択手段は、該時間に関する情報と、現在位置、現在の車両速度、及び前記近接ポイントの位置に基づいて得られる前記近接ポイントまでの到達時間とに基づき、前記出力の選択を行うものであることを特徴とする請求項１〜５のいずれか１項に記載のコンテンツ出力装置。
【請求項７】
車両に搭載され、該車両の速度を検出する手段を備え、前記選択用情報には、各選択要素についての、前記コンテンツとしての出力の開始から終了までに要する時間に関する情報が含まれており、各選択要素についての、前記コンテンツとしての出力に際し、該時間に関する情報と、現在位置、現在の車両速度、及び前記近接ポイントの位置に基づいて得られる前記近接ポイントまでの到達時間とに基づき、出力開始位置を調整する手段を有することを特徴とする請求項１〜６のいずれか１項に記載のコンテンツ出力装置。
【請求項８】
現在位置を取得する手段と、
各対象ポイントについて、位置に関する情報、及び音声出力用のコンテンツに関する情報を記録したデータベースに基づき、各対象ポイントのうち、現在位置に対し所定の近接位置にある近接ポイントについて、対応するコンテンツの出力を行う出力手段と、
設定された案内経路上の交差点の手前所定距離において該交差点に関する案内を音声により行う手段とを備えたナビゲーション装置において、
前記近接ポイントについてのコンテンツの出力タイミングと、前記交差点に関する案内のタイミングとの間の時間的関係を調整する手段を有することを特徴とするナビゲーション装置。
【請求項９】
コンピュータを、
現在位置を取得する手段、並びに
各対象ポイントについて、位置に関する情報、及び出力用のコンテンツに関する情報を記録したデータベースに基づき、各対象ポイントのうち、現在位置に対し所定の近接位置にある近接ポイントについて、前記コンテンツの出力を行う出力手段として機能させるコンテンツ出力プログラムにおいて、
各コンテンツに関する情報は複数の選択要素として記録されており、
前記データベースには、各選択要素について、その選択を許容するか否かを決定するために参照される選択用情報が記録されており、
コンピュータをさらに、前記選択用情報に基づき、前記近接ポイントに係る選択要素のうちから前記コンテンツとして出力するものを選択する出力選択手段として機能させることを特徴とするコンテンツ出力プログラム。
【請求項１０】
コンピュータが、現在位置を取得する手順と、
コンピュータが、各対象ポイントについて、位置に関する情報、及び出力用のコンテンツに関する情報を記録したデータベースに基づき、各対象ポイントのうち、現在位置に対し所定の近接位置にある近接ポイントについて、前記コンテンツの出力を行う手順とを備えたコンテンツ出力方法において、
各コンテンツに関する情報は複数の選択要素として記録されており、
前記データベースには、各選択要素について、その選択を許容するか否かを決定するために参照される選択用情報が記録されており、
コンピュータが、前記選択用情報に基づき、前記近接ポイントに係る選択要素のうちから前記コンテンツとして出力するものを選択する手順を具備することを特徴とするコンテンツ出力方法。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
電子の照射によって発光する発光部材及び第一電位に規定された電極を有するフェースプレートと、
前記発光部材に電子を照射する複数の電子放出素子及び該電子放出素子に接続され前記第一電位と異なる第二の電位に規定される複数の配線とを有するリアプレートと、
前記配線と前記電極との間に配置されており、表面に設けられた高抵抗膜を介して該配線と該電極とを電気的に接続するスペーサとを有する画像形成装置であって、
前記スペーサの前記リアプレートに面する端面が高抵抗膜で覆われていると共に、該高抵抗膜が前記配線と部分的に接触しており、しかも前記スペーサの端面に対向する前記配線の領域が、前記配線と接触していない前記スペーサー端面の前記高抵抗膜に電子を照射する電子放出領域を有することを特徴とする画像形成装置。
【請求項２】
前記電子放出領域は、前記配線上に導電性微粒子を有する領域である請求項１に記載の画像形成装置。
【請求項３】
前記導電性微粒子の粒径が５〜１５ｎｍである請求項２に記載の画像形成装置。
【請求項４】
前記配線の主成分が銀であり、前記導電性微粒子が酸化スズに酸化アンチモンをドープした酸化物微粒子である請求項２または３に記載の画像形成装置。
【請求項５】
前記配線とスペーサとの接触部が、該配線に平行な方向に沿って等間隔で設けられている請求項１に記載の画像形成装置。
【請求項６】
前記スペーサに隣接する電子放出素子が、等間隔で設けられた前記接触部間の非接触部に対応する位置に配置され、スペーサに隣接していない電子放出素子とは異なる初速度ベクトルで電子を放出する請求項５に記載の画像形成装置。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  ハウジングに形成されたシリンダ室内に、プランジャと、そのプランジャを外方に向けて押圧するスプリングとを組込み、前記ハウジングには、前記プランジャの背部に形成された圧力室に連通する給油通路を設け、この給油通路から圧力室に供給される作動油によってチェーンからプランジャに付与される押し込み力を緩衝し、かつプランジャと同軸上に配置されたスクリューロッドの外周の鋸歯状雄ねじと、これに噛合する鋸歯状雌ねじのねじ係合部においてプランジャに付与される静荷重を受けてプランジャの後退動を阻止するようにしたチェーンテンショナにおいて、前記ねじ係合部に軸方向のねじすきまを設け、このねじすきまをエンジン運転時に振動するチェーンの振幅以上に設定したことを特徴とするチェーンテンショナ。
【請求項２】  前記ねじすきまを、０．２乃至２ｍｍの範囲とした請求項１に記載のチェーンテンショナ。
【請求項３】  前記プランジャに後端面で開口する軸方向のロッド挿入孔を設け、そのロッド挿入孔の開口部内周に前記雌ねじを形成し、前記プランジャとスクリューロッドの間に両部品を相反する方向に押圧するスプリングを組込んだ請求項１又は２に記載のチェーンテンショナ。
【請求項４】  前記シリンダ室の内周に前記雌ねじを設け、その雌ねじにスクリューロッドをねじ係合して後端面をプランジャの先端面に当接させた請求項１又は２に記載のチェーンテンショナ。
【請求項５】  前記ねじ孔をシリンダ室内の軸方向ほぼ中央位置とし、そのねじ孔にねじ係合されたスクリューロッドの後端をプランジャに連結し、スクリューロッドの先端部にシリンダ室の内周面で案内されるウエアリングを設けた請求項４に記載のチェーンテンショナ。
【請求項６】  前記ウエアリングに、プランジャを外方に向けて押圧するスプリングの弾力を付与した請求項５に記載のチェーンテンショナ。
【請求項７】  前記給油通路の油出口に、圧力室内の作動油が給油通路側に逆流するのを防止するチェックバルブを設けた請求項１乃至６のいずれかに記載のチェーンテンショナ。
【請求項８】  前記ハウジングに圧力室と外部を連通する排油通路を設け、その排油通路に、圧力室内の作動油の圧力が設定圧を超えると排油通路を開放するリリーフ弁を設けた請求項１乃至７のいずれかに記載のチェーンテンショナ。
【請求項９】  前記ハウジングをアルミ合金又は合成樹脂で形成し、前記プランジャの外周にはリング溝を設け、そのリング溝内に径方向に弾性を有し、外周面がシリンダ室の内周面に弾性接触する弾性リングを係合した請求項４乃至６のいずれかに記載のチェーンテンショナ。
【請求項１０】  前記プランジャをリング溝の一側面に沿って前部プランジャと後部プランジャとに分割し、その前部プランジャを後部プランジャに向けて押圧するスプリングを設け、前記前部プランジャには軸方向に貫通し、後部プランジャに対する前部プランジャの衝合によって一端の開口が閉鎖される弁孔を設けた請求項９に記載のチェーンテンショナ。
【請求項１１】  前記ハウジングが、段付き孔を有するハウジング本体と、前記段付き孔の小径孔部内に嵌合され、内部がシリンダ室とされた底付きのスリーブとから成り、前記スリーブの開口端に雌ねじを設け、この雌ねじにスクリューロッドをねじ係合し、そのスクリューロッドの先端部には前記段付き孔の大径孔部の内周面で案内されるウエアリングを取付け、そのウエアリングにプランジャを外方に向けて押圧するスプリングの弾力を付与し、前記スリーブの外周と大径孔部の内周間に前記スプリングの後端部が収容される環状空間を設けた請求項１又は２に記載のチェーンテンショナ。
【請求項１２】  ハウジングに段付き孔から成るシリンダ室と、そのシリンダ室の閉塞端に連通する給油通路とを形成し、そのシリンダ室の大径孔部内にプランジャと、そのプランジャを外方向に押圧するスプリングとを組込み、前記プランジャには後端面で開口するスリーブ挿入孔を設け、そのスリーブ挿入孔内に先端部が挿入されたバルブスリーブの後端部を前記シリンダ室の小径孔部内に圧入し、このバルブスリーブの先端部内周に形成された雌ねじにスクリューロッドの外周の雄ねじをねじ係合して、その先端を前記スリーブ挿入孔の閉塞端に当接し、前記バルブスリーブ内にはピストンと、そのピストンをスクリューロッドの後端に押し付けるスプリングと、ピストンの背部に形成された圧力室内の作動油が前記給油通路に逆流するのを防止するチェックバルブとを組込み、前記雄ねじと雌ねじのねじ山を、プランジャからスクリューロッドに付与される押し込み力を受ける圧力側フランクのフランク角が遊び側フランクのフランク角より大きい鋸歯状とし、その鋸歯状ねじ山にピストン押圧用スプリングの弾力によってスクリューロッドが軸方向に移動するリード角を設け、前記雄ねじと雌ねじのねじ係合部に軸方向のねじすきまを設け、このねじすきまをエンジン運転時に振動するチェーンの振幅以上としたことを特徴とするチェーンテンショナ。
【請求項１３】  前記ねじすきまを、０．２乃至２ｍｍの範囲とした請求項１２に記載のチェーンテンショナ。
【手続補正書】
【提出日】平成18年2月11日(2006.2.11)
【手続補正１】
【補正対象書類名】明細書
【補正対象項目名】発明の名称
【補正方法】変更
【補正の内容】
【発明の名称】電気製品又は隠しカメラの検知装置
【手続補正２】
【補正対象書類名】明細書
【補正対象項目名】特許請求の範囲
【補正方法】変更
【補正の内容】
【特許請求の範囲】
【請求項１】
住宅やオフィスなどの施設の室内のカメラやマイクなどの電気製品を検知するための電気製品検知装置であって、
前記室内の見取り図の情報を記録しておくための見取り図記録手段と、
前記室内に実際に備えられている各電気製品の存在及びその位置を検出するための電気製品検出手段と、
前記室内に実際に備えられている全部又は一部の電気製品側から無線で送信される各電気製品の「ＩＤ、又は、ＩＤと固有のパスワード」を受信するためのＩＤ等受信手段と、
を備えたことを特徴とする、前記室内に実際に備えられている各電気製品のＩＤとそれぞれの前記室内の見取り図上における位置とを取得するための電気製品の検知装置。
【請求項２】
請求項１において、前記電気製品検出手段は、前記室内に実際に備えられている各電気製品の存在及びその位置を、周囲の物体から発する赤外線を検出することにより、又は、周囲の物体をカメラで撮像してその撮像データを解析することにより、検出するものである、ことを特徴とする電気製品の検知装置。
【請求項３】
請求項１又はにおいて、
前記施設内に正規に備えられている全部又は一部の電気製品の「ＩＤ」又は「ＩＤとそれに固有のパスワード」を記録しておくためのＩＤ等記録手段と、
前記電気製品検出手段による検出結果を受信すると共に、前記ＩＤ等受信手段が受信した前記施設内に実際に備えられている各電器製品の「ＩＤ、又は、ＩＤと固有のパスワード」を、前記ＩＤ等記録手段に記録された正規の各電気製品の「ＩＤ、又は、ＩＤと固有のパスワード」と比較することにより、前記電気製品検出手段が検出した前記施設内に実際に備えられている各電気製品が正規のものであるかどうかを判定するための判定手段と、
前記判定手段から出力に基づいて、前記電気製品検出手段により検出された電気製品が正規のものではないときは、そのことをユーザー側に、例えば音・光・振動・文字表示又は画像表示などで構成されるアラームにより、又は、文字・画像又は音声などで構成される報告により、告知するための告知手段と、
を備えたことを特徴とする電気製品検知装置。
【請求項４】  スポット光又は指向性のある電波を周囲にスキャンするスキャン手段と、
前記スキャン手段によりスキャンされたスポット光又は電波の反射波を受信する反射波受信手段と、
前記反射波受信手段からの反射波のデータを解析することにより、「ユーザーが知らないままにユーザーを撮像可能な位置に存在している隠しカメラ又はその部品である対物レンズ又はこれらと類似の物体」を検出するための隠しカメラ検出手段と、
を備えたことを特徴とする隠しカメラ検知装置。
【請求項５】  周囲の画像を取得するための画像取得手段と、
この画像取得手段により取得された周囲の画像を解析することにより、「ユーザーが知らないままにユーザーを撮像可能な位置に存在している隠しカメラ又はその部品である対物レンズ又はこれらと類似の物体」を検出するための隠しカメラ検出手段と、
を備えたことを特徴とする隠しカメラ検知装置。
【請求項６】  周囲の物体の３次元データを取得するための３次元データ取得手段と、
前記の３次元データ取得手段からの３次元データを解析することにより、「ユーザーが知らないままにユーザーを撮像可能な位置に存在している隠しカメラ又はその部品である対物レンズ又はこれらと類似の物体」を検出するための隠しカメラ検出手段と、
を備えたことを特徴とする隠しカメラ検知装置。